(57)【要約】【課題】簡易かつ安価に、遮音性能および遮煙性能の向上を図ることを可能とした耐火構造を提案する。【解決手段】壁部材２と、壁部材２の直上に配設された鉄骨梁３とを備える耐火構造１であって、鉄骨梁３の外面には、耐火被覆層４が形成されているとともに、壁部材２の上端面が耐火被覆層４に当接しており、耐火被覆層４のうち、鉄骨梁３の下面を被覆する部分がセメントと水酸化アルミニウムと炭酸カルシウムとを主成分とするセラミック系耐火被覆材５からなる。【選択図】図１
0003212233.tif 000002
【実用新案登録請求の範囲】
【請求項１】
壁部材と前記壁部材の近傍に配設された他の部材との隙間が、セメントと水酸化アルミニウムと炭酸カルシウムとを主成分とするセラミック系耐火被覆材により遮蔽されていることを特徴とする、耐火構造。
【請求項２】
前記他の部材が、耐火被覆層を有する鉄骨梁であるとともに、前記壁部材の上端面が前記耐火被覆層に当接しており、
少なくとも前記鉄骨梁の下面を被覆する前記耐火被覆層が前記セラミック系耐火被覆材からなることを特徴とする、請求項１に記載の耐火構造。
【請求項３】
前記他の部材が、耐火被覆層を有する鉄骨梁であり、
前記壁部材の上端部と前記鉄骨梁との間に網材が配設されているとともに、前記網材が前記セラミック系耐火被覆材により被覆されていることを特徴とする、請求項１に記載の耐火構造。
【請求項４】
前記他の部材がデッキプレートであり、
前記デッキプレートの下面と前記壁部材の上端との間の隙間が前記セラミック系耐火被覆材により遮蔽されていることを特徴とする、請求項１に記載の耐火構造。
【考案の詳細な説明】
【技術分野】
【０００１】
本考案は、耐火構造に関する。
【背景技術】
【０００２】
鋼構造による構造物では、図４（ａ）に示すように、その構造部材である鉄骨部材１００に対してロックウールを主成分とする耐火被覆材１０１を吹き付けることにより耐火性能を向上させている。このような耐火被覆が施された構造物において、間仕切壁等の壁部材１０２を設ける場合には、壁部材１０２の端部を耐火被覆材１０１の表面に当接させている。
耐火被覆材１０１としてのロックウールは、比重が小さいため、遮音性が低い。したがって、このような間仕切壁構造において、遮音性能が要求される場合には、遮音のための対策が別途必要であった。また、「乾式工法を用いた防火区域等における煙等の漏えい防止対策に係る指導基準」（東京消防庁）では、建築物の高さが１００ｍを超える建築物の防火区画部分に対して、火災等の煙Ｋが漏えいすることを防止する対策を講ずるよう指導している。
そのため、特許文献１には、図４（ｂ）に示すように、耐火被覆が施された鉄骨部材１００により構成された軸組内に壁部材１０２を設ける場合において、耐火被覆材１０１に当接する壁部材１０２の端部に、耐火被覆材１０１の表面に密接する板材１０３を張り出させる耐火構造が開示されている。かかる耐火構造によれば、板材１０３によって壁部材１０２周囲の耐火被覆材１０１が覆われているため、音や煙Ｋが耐火被覆内を通過する距離が長くなり、その結果、遮音性および遮煙性が向上する。
【先行技術文献】
【特許文献】
【０００３】
【特許文献１】特許第５３０８３７０号公報
【考案の概要】
【考案が解決しようとする課題】
【０００４】
特許文献１の耐火構造では、鉄骨部材１００に耐火被覆を行う作業に加え、壁部材１０２の端部に板材１０３を固定する作業を行う必要があるため手間がかかる。また、板材１０３や板材１０３を固定するための治具等の材料費もかかる。
このような観点から、本考案は、簡易かつ安価に、遮音性能および遮煙性能の向上を図ることを可能とした耐火構造を提案することを課題とする。
【課題を解決するための手段】
【０００５】
前記課題を解決するために、本考案の耐火構造は、壁部材と前記壁部材の近傍に配設された他の部材（他の壁部材、梁、柱、天井等）との隙間が、セメントと水酸化アルミニウムと炭酸カルシウムとを主成分とするセラミック系耐火被覆材により遮蔽されていることを特徴とする。
なお、前記他の部材が耐火被覆層を有する鉄骨梁であって前記壁部材の上端面が前記耐火被覆層に当接している場合には、少なくとも鉄骨梁の下面を被覆する前記耐火被覆層を前記セラミック系耐火被覆材にする。
また、前記他の部材が、耐火被覆層を有する鉄骨梁であって、前記壁部材が前記鉄骨梁の梁軸からずれた位置に配設されている場合には、前記壁部材の上端部と前記鉄骨梁との間に網材（ラス網）を配設するとともに、この網材を前記セラミック系耐火被覆材により被覆する。
さらに、前記他の部材がデッキプレートである場合には、前記デッキプレートの下面と前記壁部材の上端との間の隙間が前記セラミック系耐火被覆材により遮蔽する。
【０００６】
かかる耐火構造によれば、壁部材の周囲に形成された隙間（目地）が、セメントと水酸化アルミニウムと炭酸カルシウムとを主成分とするセラミック系耐火被覆材により遮蔽されているため、耐火性能に加えて、優れた遮煙性能および遮音性能を発揮する。つまり、このセラミック系耐火被覆材は、従来のロックウールを使用した耐火被覆材と比較して高い比重を有しているため、遮煙性および遮音性に優れており、従来必要とされた遮煙・遮音用の部材を省略することが可能となる。このため、施工時の手間および材料費の低減化も可能となった。
【考案の効果】
【０００７】
本考案の耐火構造によれば、簡易かつ安価に、耐火性とともに遮音性能および遮煙性能の向上を図ることが可能となる。
【図面の簡単な説明】
【０００８】
【図１】第一実施形態に係る耐火構造を示す断面図である。
【図２】第二実施形態に係る耐火構造を示す断面図である。
【図３】第三実施形態に係る耐火構造を示す図であって、（ａ）は正面図、（ｂ）は断面図である。
【図４】（ａ）および（ｂ）は、従来の耐火構造を示す断面図である。
【考案を実施するための形態】
【０００９】
＜第一実施形態＞
第一実施形態では、壁部材２と壁部材２の上方に配設された鉄骨梁（他の部材）３と間に形成された耐火構造１について説明する。
壁部材２は、鉄骨梁３の下方に立設された間仕切り壁用の部材であって、壁本体２１と、壁本体２１の表面に設置された石膏ボード２２と、石膏ボード２２の表面に設置された装飾材２３とを備えて構成されている。壁本体２１の上端には、鉄骨梁３と連結するためのランナー２４が、鉄骨梁３と平行に配置されている。なお、壁部材２の構成は限定されるものではない。
【００１０】
鉄骨梁３は、図１に示すように、構造物の構造部材として、上層階の床版３０に沿って配設された部材である。本実施形態では、鉄骨梁３として、Ｈ形鋼を使用するものとするが、鉄骨梁３として使用される鋼材はＨ形鋼に限定されるものではなく、例えばＩ形鋼、溝形鋼、角形鋼等、適宜選定して使用すればよい。
鉄骨梁３の外面は耐火被覆層４により覆われている。壁部材２の上端面は、耐火被覆層４に当接していて、壁部材２と鉄骨梁３との隙間は耐火被覆層４によって遮蔽されている。本実施形態では、耐火被覆層４を、１０ｍｍ〜４０ｍｍの範囲内、好ましくは１０ｍｍ〜３０ｍｍの厚みにより構成する。なお、耐火被覆層４の厚みは限定されるものではなく、適宜決定すればよい。また、耐火被覆層４の厚みは、被覆個所に応じて変化させてもよい。
【００１１】
本実施形態では、耐火被覆層４のうち、鉄骨梁３の下面を被覆する部分がセラミック系耐火被覆材５により構成されていて、その他の部分はロックウール６により構成されている。なお、耐火被覆層４は、少なくとも鉄骨梁３の下面を被覆する部分がセラミック系耐火被覆材５であればよく、セラミック系耐火被覆材５により構成される範囲は限定されるものではない。例えば、鉄骨梁３の全体をセラミック系耐火被覆材５により被覆してもよい。ここで、セラミック系耐火被覆材５は、セメントと水酸化アルミニウムと炭酸カルシウムとを主成分に構成されている。前記の成分により構成されたセラミック系耐火被覆材５は、比重が、従来の半乾式ロックウールの２．１倍、湿式ロックウールの１．３倍程度である。このようなセラミック系耐火被覆材５としては、例えばセラタイカ２号（エスケー化研社製）が好適に使用可能である。
【００１２】
以上、本実施形態の耐火構造１によれば、壁部材２と鉄骨梁３との間に形成された隙間が、高比重のセラミック系耐火被覆材５により遮蔽されているため、耐火性能に加えて、優れた遮煙性能および遮音性能を発揮する。セラミック系耐火被覆材５は、ロックウール６と比較して高い比重を有しているため、遮煙性および遮音性に優れている。その結果、従来必要とされた遮煙・遮音用の部材を省略することが可能となるため、このような部材を設置するために要する施工時の手間および材料費を省略することができる。セラミック系耐火被覆材５の施工は、他の部分と同様に実施すればよいため、施工性に優れている。
なお、鉄骨梁３は耐火被覆層４によって覆われているため、所望の耐火性を確保している。
【００１３】
＜第二の実施形態＞
第二の実施形態では、図２に示すように、鉄骨梁３とずれた位置に、壁部材２を構築する場合について説明する。 第二実施形態に係る耐火構造１は、壁部材２と、鉄骨梁３と、網材７と、セラミック系耐火被覆材５により構成されている。
壁部材２は、鉄骨梁３の側方において、壁部材２の表面と鉄骨梁３の軸方向とが平行になるように配設されている。本実施形態では、壁部材２の上端面と鉄骨梁３の下フランジの上面と同じ高さとなるように配設されているが、壁部材２の上端面と鉄骨梁３の下フランジとの高さ関係は限定されるものではない。なお、壁部材２の配置は、壁部材２の中心線が鉄骨梁３の中心線とずれた位置となるように配設されていれば限定されるものではない。この他の壁部材２の詳細は、第一実施形態の壁部材２と同様なため、詳細な説明は省略する。
【００１４】
鉄骨梁３は、構造物の構造部材として、上層階の床版３０に沿って配設された部材である。本実施形態では、図２に示すように、鉄骨梁３として、Ｈ形鋼を使用するものとするが、鉄骨梁３として使用される鋼材はＨ形鋼に限定されるものではなく、例えばＩ形鋼、溝形鋼、角形鋼等、適宜選定して使用すればよい。鉄骨梁３の外面は耐火被覆層４により覆われている。耐火被覆層４は、ロックウール６により構成されている。なお、耐火被覆層４を構成する材料は限定されるものではなく、例えば、セラミック系耐火被覆材５であってもよい。本実施形態では、耐火被覆層４を、１０ｍｍ〜４０ｍｍの範囲内、好ましくは１０ｍｍ〜３０ｍｍの厚みにより構成する。なお、耐火被覆層４の厚みは限定されるものではなく、適宜決定すればよい。また、耐火被覆層４の厚みは、被覆個所に応じて変化させてもよい。
【００１５】
網材７は、いわゆるラス網であって、壁部材２の上端部と鉄骨梁３との間に横架されている。網材７は、セラミック系耐火被覆材５によって被覆されている。セラミック系耐火被覆材５は、網材７とともに壁部材２の上端部を被覆している。セラミック系耐火被覆材５は、セメントと水酸化アルミニウムと炭酸カルシウムとを主成分としている。
本実施形態では、セラミック系耐火被覆材５を、網材７の上下および壁部材２の上端部にそれぞれ１０ｍｍ〜４０ｍｍの範囲内、好ましくは１０ｍｍ〜３０ｍｍの範囲内により被覆する。なお、セラミック系耐火被覆材５に被覆厚は限定されるものではなく、適宜決定すればよい。
【００１６】
以上、第二実施形態の耐火構造１によれば、鉄骨梁３の直下からずれた位置に壁部材２を構築する場合であっても、第一実施形態の耐火構造１と同様の耐火性能、遮音性能および遮煙性能を確保することができる。
この他、第二実施形態にかかる耐火構造１による作用効果は、第一実施形態に係る耐火構造１と同様なため、詳細な説明は省略する。
【００１７】
＜第三実施形態＞
第三実施形態では、図３（ａ）および（ｂ）に示すように、壁部材２と壁部材２の上方に配設された上層階の床版３０の下面を構成するデッキプレート（他の部材）８と間に形成された耐火構造１について説明する。
壁部材２は、デッキプレート８の下方に立設された間仕切り壁用のパネルである。間仕切り壁は、複数の壁部材２を連続して配設することにより形成されている。壁部材２同士の目地９は、セメントと水酸化アルミニウムと炭酸カルシウムとを主成分とするセラミック系耐火材（セラミック系耐火被覆材５）により遮蔽されている。この他の壁部材２の詳細は、第一実施形態の壁部材２と同様なため、詳細な説明は省略する。
【００１８】
床版３０は、デッキプレート８とデッキプレート８の上面に形成されたコンクリート層とにより形成されている。デッキプレート８は、波型の金属板であって、壁部材２の上端面に当接している。波型のデッキプレート８に複数の凹部が形成されていることにより、デッキプレート８と壁部材２との間に隙間が形成されている。なお、デッキプレート８の材質、板厚、形状（例えば、凹部の形状やピッチ等）は限定されるものではない。
デッキプレート８と壁部材２との間に隙間は、セラミック系耐火被覆材５により遮蔽されている。セラミック系耐火被覆材５は、セメントと水酸化アルミニウムと炭酸カルシウムとを主成分としている。
【００１９】
以上、第三実施形態の耐火構造１によれば、デッキプレート８と壁部材２との接合部に形成された隙間が、高比重のセラミック系耐火被覆材５により遮蔽されているため、耐火性能に加えて、優れた遮煙性能および遮音性能を発揮する。セラミック系耐火被覆材５は、ロックウール６と比較して高い比重を有しているため、遮煙性および遮音性に優れている。その結果、遮煙・遮音用の部材を別途設置する必要がないため、このような部材を設置するために要する施工時の手間および材料費を省略することができる。壁部材２同士の接合部（目地９）もセラミック系耐火被覆材５により遮蔽することで、所望の耐火性、遮煙性および遮音性を確保している。
デッキプレート８の下面には、ロックウール６やセラミック系耐火被覆材５により耐火被覆層４を形成するのが望ましい。
【００２０】
以上、本考案に係る実施形態について説明したが、本考案は前述の実施形態に限られず、前記の各構成要素については本考案の趣旨を逸脱しない範囲で適宜変更が可能である。
【符号の説明】
【００２１】
１  耐火構造
２  壁部材
３  鉄骨梁
４  耐火被覆層
５  セラミック系耐火被覆材
６  ロックウール
７  網材
８  デッキプレート
９  目地
【図１】
0003212233.tif 000003
【図２】
0003212233.tif 000004
【図３】
0003212233.tif 000005
【図４】
0003212233.tif 000006